(57)【要約】      （修正有）【課題】原稿の両面に任意に設定された記憶領域を読み取る際に、小さな処理負荷にて読み取ることができる。【解決手段】原稿２４の両面に任意に指定された第一領域３０Ａの上流端Ｄ１と第二領域３０Ｂの下流端Ｃ２との間隔と、第一領域３０Ａの上流端Ｄ１と第二領域３０Ｂの下流端Ｃ２とが搬送方向に対してどちらが下流側（上流側）に配置されているかの関係から、第一及び第二読取部１１Ａ，１１Ｂの下流側上流側の配置関係と、両読取部間の間隔Ｋとが決定される。このように設定された第一及び第二読取部１１Ａ，１１Ｂに対して、搬送されてきた原稿２４の第一領域３０Ａ、第二領域３０Ｂの順にそれぞれの読取部に対向し、両領域３０Ａ，３０Ｂが順に読み取られる。【選択図】図８
2010068376.tif 000002
【特許請求の範囲】
【請求項１】
原稿の第一面を読み取る第一読取部と、前記第一面とは反対側の第二面を読み取る第二読取部と、
前記第一及び第二読取部による読み取りが実行される際、前記原稿と前記第一及び第二読取部を相対的に移動させる移動部と、
前記原稿の第一面のうち読み取られる領域である第一領域と、前記原稿の第二面のうち読み取られる領域である第二領域とを、少なくとも前記移動方向において指定する指定部と、
前記指定部により指定された前記第一及び第二領域に応じて、前記第一及び第二読取部の少なくとも一方の前記移動方向に対する位置を変更する変更部と、
を備え、
前記変更部は、前記一方の領域の読み取りが前記他方の領域の読み取りと異なる期間に行われるように、前記第一又は第二読取部の位置を変更することを特徴とする読取装置。
【請求項２】
原稿の第一面を読み取る第一読取部と、前記第一面とは反対側の第二面を読み取る第二読取部と、
前記第一及び第二読取部による読み取りが実行される際、前記原稿と前記第一及び第二読取部を相対的に移動させる移動部と、
前記原稿の第一面のうち読み取られる領域である第一領域と、前記原稿の第二面のうち読み取られる領域である第二領域とを、少なくとも前記移動方向において指定する指定部と、
前記指定部により指定された前記第一及び第二領域に応じて、前記第一及び第二読取部の少なくとも一方の前記移動方向に対する位置を変更する変更部と、
を備え、
前記変更部は、前記一方の読取部を、前記移動方向における前記一方の領域の上流端から見て他方の領域の下流端が位置する方向へ、前記他方の読取部から当該上流端と当該下流端間の間隔以上下流側に位置を変更することを特徴とする読取装置。
【請求項３】
請求項１又は請求項２に記載の読取装置であって、
前記変更部は、前記第一領域を読み取りの終了後、前記第二領域の読み取りが開始するように、前記第一又は第二読取部の位置を変更することを特徴とする読取装置。
【請求項４】
請求項１から請求項３のいずれか一つに記載の読取装置であって、
前記第一及び第二読取部は、前記原稿の前記第一及び第二領域を照明する発光部をそれぞれ有し、
前記一方の読取部が前記一方の領域を読み取っている間、前記他方の読取部の前記発光部を消灯することを特徴とする読取装置。
【請求項５】
請求項１から請求項４のいずれか一つに記載の読取装置であって、
前記変更部は、前記第一及び第二領域が読取部によって連続して読み取られるように、前記第一又は第二読取部の位置を変更することを特徴とする読取装置。
【請求項６】
請求項１から請求項５のいずれか一つに記載の読取装置であって、
前記移動部の移動速度を制御する制御部を備え、
前記制御部は、前記第一及び第二読取部のいずれもが前記第一及び第二領域に対向していないときは、その少なくとも一方が前記第一又は第二領域に対向しているときよりも高速に前記原稿と前記第一及び第二読取部を相対的に移動させるように制御することを特徴とする読取装置。
【請求項７】
請求項１から請求項６のいずれか一つに記載の読取装置であって、
前記第一及び第二読取部により読み取った前記第一及び第二面の読取画像を表示する表示部を備え、
前記指定部は、前記表示部に表示された前記読取画像を基に前記第一及び第二領域を指定することを特徴とする読取装置。
【請求項８】
請求項１から請求項７のいずれか一つに記載の読取装置であって、
前記指定部は、前記第一及び第二領域の、前記移動方向の両端を指定することを特徴とする読取装置。
【請求項９】
請求項１から請求項８のいずれか一つに記載の読取装置を備え、
前記読取装置にて読み取った読取データを用いて用紙に印刷をする印刷部を有することを特徴とする画像形成装置。
【発明の詳細な説明】
【技術分野】
【０００１】
本発明は、二つの読取部で原稿の第一面の及び第二面を読み取ることが可能な読取装置、及び画像形成装置に関する。
【背景技術】
【０００２】
従来から、読み取り部を二つ備える両面読み取り装置が提案されている。当該両面読み取り装置は、読み取る原稿の第一面（表面）、及び第二面（裏面）を専用の読み取り部によって読み取るので、両面読み取りの処理に時間がかからない利点がある。
【０００３】
また、下記特許文献１には、第一面の搬送方向後半部分と、第二面の前半部分とを指定して読み取る場合、第一面と第二面の読み取り順序が逆転してしまうため、二つの読み取り部のうち一方の位置を搬送方向に移動させるようにし、読み取り処理を第一面、第二面の順に処理するために読み取り部の読み取り位置を変化させる技術が提案されている。
【特許文献１】特開２００３−３４８３００号公報
【発明の開示】
【発明が解決しようとする課題】
【０００４】
しかしながら、上記した読み取り部を二つ備える両面読み取り装置による両面読み取りの処理は、当該処理をするために片面読み取りの処理に対して大きな処理負荷がかかってしまう。
【０００５】
何故なら、一般的な両面読み取り装置は二つの読み取り部の位置が固定であり、両面を読み取ろうとすると、二つの読み取り部により第一面及び第二面を重複して読み取る期間が存在することがあるため、その期間の読み取り処理ではそれぞれの読み取り面のデータの和を処理することとなるからである。
【０００６】
その為、例えば記憶部の領域の少ない読み取り装置では、読み取りの処理の際にエラーが発生することや、読み取り処理以外の他の処理が実行できないこと、さらには読み取り処理やその他の処理の速度が遅くなってしまう問題が生じる。
【０００７】
上記特許文献１の技術によっても、第一面及び第二面を重複して読み取る期間が存在することがあるため、大きな処理負荷がかかっていた。
【０００８】
よって、本発明は、原稿の両面に任意に設定された記憶領域を読み取る際に、小さな処理負荷にて読み取ることを目的とする。
【課題を解決するための手段】
【０００９】
この目的を達成するために、請求項１に記載の読取装置は、原稿の第一面を読み取る第一読取部と、前記第一面とは反対側の第二面を読み取る第二読取部と、前記第一及び第二読取部による読み取りが実行される際、前記原稿と前記第一及び第二読取部を相対的に移動させる移動部と、前記原稿の第一面のうち読み取られる領域である第一領域と、前記原稿の第二面のうち読み取られる領域である第二領域とを、少なくとも前記移動方向において指定する指定部と、前記指定部により指定された前記第一及び第二領域に応じて、前記第一及び第二読取部の少なくとも一方の前記移動方向に対する位置を変更する変更部と、を備え、前記変更部は、前記一方の領域の読み取りが前記他方の領域の読み取りと異なる期間に行われるように、前記第一又は第二読取部の位置を変更することを特徴とする。
【００１０】
また、請求項２に記載の読取装置は、原稿の第一面を読み取る第一読取部と、前記第一面とは反対側の第二面を読み取る第二読取部と、前記第一及び第二読取部による読み取りが実行される際、前記原稿と前記第一及び第二読取部を相対的に移動させる移動部と、前記原稿の第一面のうち読み取られる領域である第一領域と、前記原稿の第二面のうち読み取られる領域である第二領域とを、少なくとも前記移動方向において指定する指定部と、前記指定部により指定された前記第一及び第二領域に応じて、前記第一及び第二読取部の少なくとも一方の前記移動方向に対する位置を変更する変更部と、を備え、前記変更部は、前記一方の読取部を、前記移動方向における前記一方の領域の上流端から見て他方の領域の下流端が位置する方向へ、前記他方の読取部から当該上流端と当該下流端間の間隔以上下流側に位置を変更することを特徴とする。
【００１１】
また、請求項３に記載の読取装置は、請求項１又は請求項２に記載の読取装置であって、前記変更部は、前記第一領域を読み取りの終了後、前記第二領域の読み取りが開始するように、前記第一又は第二読取部の位置を変更することを特徴とする。
【００１２】
また、請求項４に記載の読取装置は、請求項１から請求項３のいずれか一つに記載の読取装置であって、前記第一及び第二読取部は、前記原稿の前記第一及び第二領域を照明する発光部をそれぞれ有し、前記一方の読取部が前記一方の領域を読み取っている間、前記他方の読取部の前記発光部を消灯することを特徴とする。
【００１３】
また、請求項５に記載の読取装置は、請求項１から請求項４のいずれか一つに記載の読取装置であって、前記変更部は、前記第一及び第二領域が読取部によって連続して読み取られるように、前記第一又は第二読取部の位置を変更することを特徴とする。
【００１４】
また、請求項６に記載の読取装置は、請求項１から請求項５のいずれか一つに記載の読取装置であって、前記移動部の移動速度を制御する制御部を備え、前記制御部は、前記第一及び第二読取部のいずれもが前記第一及び第二領域に対向していないときは、その少なくとも一方が前記第一又は第二領域に対向しているときよりも高速に前記原稿と前記第一及び第二読取部を相対的に移動させるように制御することを特徴とする。
【００１５】
また、請求項７に記載の読取装置は、請求項１から請求項６のいずれか一つに記載の読取装置であって、前記第一及び第二読取部により読み取った前記第一及び第二面の読取画像を表示する表示部を備え、前記指定部は、前記表示部に表示された前記読取画像を基に前記第一及び第二領域を指定することを特徴とする。
【００１６】
また、請求項８に記載の読取装置は、請求項１から請求項７のいずれか一つに記載の読取装置であって、前記指定部は、前記第一及び第二領域の、前記移動方向の両端を指定することを特徴とする。
【００１７】
また、請求項９に記載の画像形成装置は、請求項１から請求項８のいずれか一つに記載の読取装置を備え、前記読取装置にて読み取った読取データを用いて用紙に印刷をする印刷部を有することを特徴とする。
【発明の効果】
【００１８】
＜請求項１の発明＞
読取部が二つ備えられた読取装置において、第一面及び第二面の第一及び第二の読み取り領域を指定し、その指定にもとづいて第一及び第二の読取部の少なくとも一方の位置を変更し、第一又は第二領域がそれぞれ異なった期間にて読み取られるように、第一及び第二読取部の位置を変更するため、両面の任意の位置に第一及び第二領域があっても少ない処理負荷にて原稿の両面を読み取ることが可能である。
【００１９】
＜請求項２の発明＞
読取部が二つ備えられた読取装置において、第一面及び第二面の第一及び第二の読み取り領域を指定し、その指定にもとづいて第一及び第二読取部の少なくとも一方の位置を変更し、一方の読取部を、前記移動方向における前記一方の領域の上流端から見て他方の領域の下流端が位置する方向へ、前記他方の読取部から当該上流端と当該下流端間の間隔以上下流側に位置を変更することで、両面の任意の位置に第一及び第二領域があっても少ない処理負荷にて原稿の両面を読み取ることが可能である。
【００２０】
＜請求項３の発明＞
第一領域の読み取った後に第二領域を読み取るため、例えば第一領域と第二領域とが順を成した情報であった場合、読取順序をそろえることが可能である。
【００２１】
＜請求項４の発明＞
それぞれの発光部による無駄な発光を防止することが可能である。また、第一及び第二読取部の間隔が狭いことで生じる裏写り現象を防止することが可能である。
【００２２】
＜請求項５の発明＞
第一領域と第二領域とを連続で読み取ることで、原稿の両面を短時間で読み取ることが可能である。
【００２３】
＜請求項６の発明＞
第一及び第二読取部による読み取りが行われていない時に、原稿と第一及び第二読取部の相対的な移動速度を早くするため、読み取りを効率よく実行することが可能である。
【００２４】
＜請求項７の発明＞
使用者が表示部に原稿の第一及び第二面の読取画像を確認しつつ第一及び第二領域を指定できるため、指定を容易に実行することが可能である。
【００２５】
＜請求項８の発明＞
第一及び第二領域の両端をそれぞれ指定するのみなので、使用者による第一及び第二領域の指定が容易である。
【００２６】
＜請求項９の発明＞
本読取装置にて両面の任意の位置に第一及び第二領域があっても少ない処理負荷にて読み取ることが可能であるため、前記読取装置を備える画像形成装置においても少ない処理付加にて複写処理を実行することが可能である。
【発明を実施するための最良の形態】
【００２７】
以下、本発明の読取装置及び画像形成装置における実施形態について、詳細に説明をする。
【００２８】
［第一の実施形態］
まず、第一の実施形態を説明する。
【００２９】
＜ハード構成＞
図１は、本発明の画像形成装置の一例としてのＭＦＰ１を示したハード構成図である。図１を参照して、本実施形態の画像形成装置の全体構成を説明する。
【００３０】
ＭＦＰ１は、大略、用紙等に印刷（すなわち画像形成）を行う印刷部７と、原稿の画像
を読み取る読取装置２５と、それらを制御する制御回路２０とを備える。制御回路２０は、ＣＰＵ２と、ＣＰＵ２が行う起動プログラム等を記憶したＲＯＭ３と、ＣＰＵ２が各種処理を行う際に記憶領域として用いるＲＡＭ４とによって構成されている。
【００３１】
ＭＦＰ１はさらに、制御回路２０に対して各種の入力等を行う操作部６と、各種の情報を表示する表示部５とを備え、また、モデム８を介して電話回線１５と接続し、ネットワークＩ／Ｆ９を介してネットワーク１６上のパーソナルコンピュータ（以下ＰＣという）１４と接続し、外部機器との接続用Ｉ／Ｆ１０を介してＵＳＢメモリ１７等の外部機器と接続することができる。
【００３２】
ＭＦＰ１では、上記した各部や装置単独あるいは組み合わせで、印刷処理、読取処理、コピー処理、ＦＡＸ受信処理、ＦＡＸ送信処理等の様々な処理が実現される。
【００３３】
＜読取装置の全体構成＞
図２は、読取装置２５の一例を示した構成図である。
【００３４】
読取装置は、第一及び第二読取部１１Ａ，１１Ｂと、搬送ローラ２１を含む移動部とによって構成されている。
【００３５】
搬送ローラ２１は、原稿２４を挟みつつ搬送駆動モータ１３によって回転されることで、原稿２４を搬送する。
【００３６】
第一及び第二読取部１１Ａ，１１Ｂは、原稿２４の表面（第一面）とそれと反対側の裏面（第二面）とに別々に対向して配置されている。各読取部１１Ａ，１１Ｂは、それぞれ第一及び第二発光部２２Ａ，２２Ｂと、第一及び第二受光部２３Ａ，２３Ｂとによって構成されている。原稿２４に第一及び第二発光部２２Ａ，２２Ｂから光を照射し、原稿２４から反射した光を第一及び第二受光部２３Ａ，２３Ｂにより受光することで、原稿２４の両面の画像をそれぞれ読み取ることが可能である。
【００３７】
また、第一及び第二読取部１１Ａ，１１Ｂは第一及び第二駆動モータ１２Ａ，１２Ｂによりそれぞれ原稿２４の搬送方向と平行に移動し、その方向の任意の位置に停止することが可能である。第一及び第二読取部１１Ａ，１１Ｂは、搬送ローラ２１の回転軸方向に沿ってライン上に構成されており、搬送された原稿２４の原稿面に対し搬送方向と直交した方向（以下、「幅方向」と呼称する）の画像ラインを一度に読み取ることが可能である。
【００３８】
＜読取モードの指定＞
本実施形態では、原稿２４の第一及び第二面の読取において、表示部５と操作部６とにて、読取モードを選択し、読取解像度の指定、カラー／モノクロの指定、プレスキャンの有無の指定等を行うことができる。制御回路２０は、これらの指定にしたがって、読取部１１Ａ，１１Ｂを制御し、また搬送駆動モータの１３の回転速度を制御して原稿２４の搬送速度を制御する。読取解像度が高いときは低いときよりも、またカラー指定したときはモノクロ指定したときよりも原稿の搬送速度が遅くなる。
【００３９】
プレスキャンとは、原稿２４の第一及び第二面を低い読取解像度で素早く読み取り、表示部５またはＰＣ１４に読取画像を表示することである。この場合、通常の低解像度相当またはそれよりも速い速度で原稿を搬送する。
【００４０】
制御回路２０は、表示部５及び操作部６と協働して本発明の「速度指定」を構成する。
【００４１】
＜読取領域の指定＞
次に、原稿２４のどの部分を読み取るかを、表示部５と操作部６により指定することを説明する。
【００４２】
読取領域の指定では、図３の様に、原稿２４の第一及び第二面の読取領域をそれぞれ第一及び第二領域３０Ａ，３０Ｂとして指定する。
【００４３】
読取領域の指定方法は、表示部５と操作部６により読取領域の指定モードを選択し、操作部６により、第一及び第二面の上半分または下半分を読取領域として指定する方法、また、第一及び第二面の上端、下端、右端及び左端からの距離を数値入力してそれに囲まれ得た部分を読取領域として指定する方法などが可能である。
【００４４】
さらには、図４のように表示部５に原稿２４に対応した紙面の例とポインタ３１が表示され、操作部６の操作によりポインタ３１を動かし読取領域を指定してもよい。この場合、例えば図４の第一面のようにポインタ３１により読取領域を囲むことで指定してもよいし、図４の第二面のようにポインタ３１により一つの角と対向する他の角とを指定することで読取領域を指定してもよい。表示部５に表示する紙面の例は、プログラム上にあらかじめ作成したものであっても、また、前述のプレスキャンによって読み取ったものであってもよい。このように指定した場合、制御回路２０は、ポインタ３１の位置を原稿の端からの距離に変換して読取領域として記憶する。
【００４５】
本実施形態において、第一及び第二読取部１１Ａ，１１Ｂの少なくとも一方が搬送方向に移動するものであるから、第一及び第二領域３０Ａ，３０Ｂの指定は、少なくとも搬送方向の両端を指定するだけであっても差し支えない。
【００４６】
制御回路２０は、表示部５及び操作部６と協働して本発明の「指定部」を構成し、さらに、その領域指定にもとづいて、後述するように、第一及び第二読取部１１Ａ，１１Ｂを配置する「変更部」を構成する。
【００４７】
＜基本的な読取動作の説明＞
図８に示すように、原稿２４の第一及び第二の面の画像（第一及び第二領域３０Ａ，３０Ｂの位置）が搬送方向にずれている場合、制御回路２０は、例えば、あらかじめ指定した読取領域の位置に対応して第一及び第二読取部１１Ａ，１１Ｂを配置しておき、原稿２０が搬送されてきたときに、第一第二領域３０Ａ、第二領域３０Ｂの順に読み取りを実行する。
【００４８】
図８の場合、第一読取部１１Ａの位置に第一領域３０Ａの下流端Ｃ１が達したときに第一領域３０Ａの第一読読取部１１Ａによる読み取りが開始し、第一領域３０Ａの上流端Ｄ１が達したときに第一読取部１１Ａによる読み取りが終了する。この時、第二読取部１１Ｂの位置に第二領域３０Ｂの上流端Ｃ２が達するため、第一読取部１１Ａの読み取りが終了すると共に第二読取部１１Ｂの読み取りが開始される。その後、第二領域３０Ａの上流端Ｄ２が達したときに第二読取部１１Ｂによる読み取りが終了する。
【００４９】
図８（２）は、図８（１）における１〜８で示した各読み取り過程における読み取りデータ量を示す。横軸を時間軸、縦軸をデータ量としている。
【００５０】
第一及び第二領域３０Ａ，３０Ｂの搬送方向の位置及び長さは任意であるが、以下に詳細に説明するように、あらかじめ指定した第一及び第二領域３０Ａ，３０Ｂにもとづいて、第一及び第二読取部１１Ａ，１１Ｂを移動させておくことで、負荷を抑えて読取処理を実行することが可能となる。
【００５１】
＜第一及び第二読取部１１Ａ，１１Ｂの配置処理の説明＞
図５は、第一及び第二読取部１１Ａ，１１Ｂを第一及び第二領域３０Ａ，３０Ｂにもとづいて配置するための処理を表したフローチャートである。また、図６は、第一及び第二読取部１１Ａ，１１Ｂと第一及び第二領域３０Ａ，３０Ｂとの関係を説明する図である。図６は、図面の左側が搬送方向の上流であり、図面の右側が搬送方向の下流である。尚、図６における配置の説明では、第一領域３０Ａを先に読み取り、その後第二領域３０Ｂを読み取ることとし、第一読取部１１Ａの位置を固定し、第二読取部１１Ｂの位置を決定する処理を説明する。
【００５２】
尚、本実施形態は、第一及び第二領域３０Ａ、３０Ｂの搬送方向に対するそれぞれの下流端をＣ１及びＣ２、上流端をＤ１及びＤ２と定義する。また、第一読取部１１Ａと第二読取部１１Ｂの搬送方向の間隔をＫと定義する。さらに、第一領域３０Ａの上流端Ｄ１から第二領域３０Ｂの下流端Ｃ２までの搬送方向の間隔（｜Ｄ１−Ｃ２｜）をＬＣと定義する。
【００５３】
図５に示される配置処理は、制御回路２０にて読取領域が指定された後に実行される。本処理が実行されると、制御回路２０によりＳ１０１にて、指定された第一及び第二領域３０Ａ，３０Ｂにおける下流端のＣ１，Ｃ２、及び上流端のＤ１，Ｄ２の位置データが読み込まれる。そして、第一領域３０Ａの上流端Ｄ１及び第二領域３０Ｂの下流端Ｃ２の間隔ＬＣが、求められる。
【００５４】
その後、Ｓ１０２にて、第一領域３０Ａの下流端Ｄ１の位置が、搬送方向に対して第二領域３０Ｂの上流端Ｃ２の位置の上流側にあるか否かが判断される。ここで、Ｄ１がＣ２により上流側に存在している場合は、次に、Ｓ１０３にて、第一読取部１１Ａの位置を基準にして搬送方向の下流側の方向にＬＣの距離に間隔Ｋの設定される。
【００５５】
一方、Ｓ１０２にて、第一領域３０Ａの下流端Ｄ１が第二領域３０Ｂの上流端Ｃ２より上流側に存在していない、即ち下流側に存在している場合、次に、Ｓ１０４にて、第一読取部１１Ａの位置を基準にして搬送方向の上流側の方向にＬＣの距離に間隔Ｋが設定される。第一領域３０Ａの下流端Ｄ１と第二領域３０Ｂの上流端Ｃ２とが同じ位置にある場合、ＬＣ＝０であるから、第一読取部１１Ａの位置から間隔Ｋ＝０が設定される。
【００５６】
つまり、いずれにおいても、第一領域３０Ａに対向する第一読取部１１Ａに対して、当該読取部１１Ａが対向する第一領域３０Ａの上流端Ｄ１から見て第二読取部１１Ｂが対向する第二領域３０Ｂの下流端Ｃ２の位置する方向に、当該上流端Ｄ１と下流端Ｃ２間の間隔ＬＣが間隔Ｋとして設定される。
【００５７】
両読取領域の読み取りが重ならないようにするには、一方の読取部が読取領域の上流端に達したとき又はそれ以降に、他方の読取部がそれに対応する読取領域の下流端に達すればよいので、上記のように間隔ＬＣを、第一読取部１１Ａと第二読取部１１Ｂとの間の間隔Ｋとするか、第一読取部１１Ａから間隔ＬＣを置いた位置から下流側の位置までを間隔Ｋとする。
【００５８】
図６（１）のように第一領域３０Ａの上流端Ｄ１が第二領域３０Ｂの下流端Ｃ２より上流側に存在する場合、また、図６（２）のように第一領域３０Ａの上流端Ｄ１が第二領域３０Ｂの下流端Ｃ２より下流側に存在する場合、のいずれも同様に、前記間隔ＬＣを間隔Ｋとすることで、第一領域３０Ａを先に読み取り、その後第二領域３０Ｂを読み取ることができる。
【００５９】
その後、第一の実施形態と同様に、Ｓ１０５にて、第一及び第二駆動モータ１２Ａ、１
２Ｂにより第一及び第二読取部１１Ａ，１１Ｂを、端部Ｄ１，Ｃ２の上流側下流側の関係に対応した上流側下流側の関係とするとともにその両者間に間隔Ｋを置くように移動制御する。
【００６０】
尚、第一及び第二読取部１１Ａ，１１Ｂの位置は、前述のように搬送方向の上流側下流側の相互の関係と間隔Ｋを保てば、移動可能な範囲内で任意に設定することができる。この理由は、搬送ローラ２１による搬送制御において、公知のように原稿２４の第一領域３０Ａの下流端Ｃ１の位置を検出又はレジストして搬送量を制御することで、任意に設定された読取部の位置に原稿の第一及び第二領域３０Ａ，３０Ｂを対向させることができるからである。
【００６１】
本実施形態では、始めに第一領域３０Ａを読み取り、次に第二領域３０Ｂを読み取るように第一及び第二読取部１１Ａ，１１Ｂの設定位置を決定しているが、どちらが先かは任意であっても良い。始めに第二領域３０Ｂを読み取り、次に第一領域３０Ａを読み取る場合には、第二読取部１１Ｂに対して、第二領域３０Ｂの上流端Ｄ２から見て第一領域３０Ａの下流端Ｃ１の存在する方向に、当該上流端Ｄ２と下流端Ｃ１間の間隔ＬＤかそれよりも下流側までの間隔が間隔Ｋとして設定される。また、読取装置２５の大きさ等の制約により一意的に位置が決められても良い。
【００６２】
＜読取処理の説明＞
図７は、上述した配置処理の終了後に実行される読取処理を示したフローチャートである。
【００６３】
図７に示される読取処理は、予め所定の原稿２４について上述したように間隔Ｋを決定しＳ１０５にて第一及び第二読取部１１Ａ，１１Ｂを移動する処理が終了し、かつ読取モードが指定されている場合に、ＭＦＰ１の制御回路２０により実行される。
【００６４】
本処理が実行されると、制御回路２０によりＳ２０１にて、図示しない給紙センサにて原稿２４が給紙検出されたか否かが判断される。即ち、図２に示した読取装置２５に原稿２４が送られる様に、原稿２４が移動部の図示しない給紙部にセットされたかが判断される。
【００６５】
ここで給紙検出がされないと判断されると（Ｓ２０１：Ｎ）、Ｓ２０１にて常に給紙検出がされたか判断し続ける。給紙検出がされたと判断されると（Ｓ２０１：Ｙ）、Ｓ２０２にて原稿２４が高速搬送される。尚、高速搬送とはそれぞれの読取部によって原稿２４の第一及び第二面のそれぞれの領域が読み取られる際の搬送速度に対して高速であることを示す。
【００６６】
次にＳ２０３にて、第一読取部１１Ａの位置に第一領域３０Ａの下流端Ｃ１が達したか否かが判断される。ここで達していないと判断されると（Ｓ２０３：Ｎ）、Ｓ２０２にてさらに原稿２４が高速搬送される。その後、Ｓ２０３にて、前記Ｓ１０３又はＳ１０４にて第一領域３０Ａを第二領域３０Ｂよりも先に読み取る設定がされているので、第一読取部１１Ａの位置にＣ１が達したと判断されると（Ｓ２０３：Ｙ）、Ｓ２０４にて、予め指定された第一領域３０Ａに対する読取モードが読み出され、Ｓ２０５にて、原稿２４の搬送速度が第一領域３０Ａの読取モードに対する搬送速度に設定される。
【００６７】
その後、Ｓ２０７にて、原稿２４が設定された搬送速度で低速搬送をされつつ、第一読取部１１Ａにて第一領域３０Ａが読み取られる。この時、第一発光部２２Ａは発光することで第一領域３０Ａが読み取られるが、第二発光部２２Ｂは消灯している。
【００６８】
次に、Ｓ２０８にて、第一読取部１１Ａの位置に第一領域３０Ａの上流端Ｄ１（または第二読取部１１Ｂに第二領域３０Ｂの下流端Ｃ２）が達したか判断される。ここで、達していないと判断されると（Ｓ２０８：Ｎ）、Ｓ２０７にてさらに原稿２４が低速搬送されつつ、第一領域３０Ａが読み取られる。その後、Ｓ２０８にて達したと判断されると（Ｓ２０８：Ｙ）、Ｓ２０９にて、予め指定された第二領域３０Ｂに対する読取モードが読み出され、Ｓ２０５にて、読み出された読取モードによる搬送速度が設定される。ここで、速度変更のための時間的余裕をもって、あらかじめ間隔Ｋを決定しておいても良い。
【００６９】
そして、この時点で第二領域３０Ｂの下流端Ｃ２が第二読取部１１Ａに達しているので、Ｓ２１０にて、原稿２４が設定された搬送速度で低速搬送をされつつ、第二読取部１１Ｂにて第二領域３０Ｂが読み取られる。この時、第二発光部２２Ｂは発光することで第二領域３０Ｂが読み取られるが、第一発光部２２Ａは消灯している。
【００７０】
その後、Ｓ２１１にて、第二読取部１１Ｂの位置に第二領域３０Ｂの上流端Ｄ２が達したか判断される。ここで、達していないと判断されると（Ｓ２１１：Ｎ）、Ｓ２１０にてさらに原稿２４が低速搬送されつつ、第二領域３０Ｂが読み取られる。その後、Ｓ２１１にて達したと判断されると（Ｓ２１１：Ｙ）、Ｓ２１２にて、原稿２４が高速搬送されて、Ｓ２１３にて、原稿２４が図示しない排紙部に排紙されたかを検知される。
【００７１】
ここで、排紙検知されていないと判断されると、Ｓ２１２にてさらに原稿２４が高速搬送され、その後、Ｓ２１３にて、排紙検知されたと判断されると、本処理が終了する。
【００７２】
本処理では、原稿２４の第一及び第二領域３０Ａ、３０Ｂが読み取られていない間（Ｓ２０１：ＹからＳ２０３：Ｙまでと、Ｓ２１１：ＹからＳ２１３：Ｙまでの期間）、Ｓ２０２およびＳ２１２にて原稿２４が高速で搬送されるため、本処理を短時間で実行可能である。
【００７３】
また、両面の読取モードのそれぞれに応じた搬送速度にて搬送される（Ｓ２０７及びＳ２１０）ことで、精度よく読み取りが実行可能である。
【００７４】
また、Ｓ２０７及びＳ２１０の処理は、第一読取部１１Ａ及び第二読取部１１Ｂが互いに独立して動作するため、それぞれの読取部がそれぞれ動作している際には、それぞれの発光部の発光と消灯とがそれぞれ逆転する。よって、第一読取部１１Ａと第二読取部１１Ｂの搬送方向の間隔Ｋが短くても、裏写り現象は発生しない。
【００７５】
尚、裏写りとは、第一及び第二読取部１１Ａ、１１Ｂが短く近接して（ほぼ互いに対向する状態に）配置されることで、原稿２４の逆側の読取面に対する発光部により、本来読み取るべき読取面ではない逆側の読取面が透かされることで読み取ってしまうことである。仮に、第一及び第二読取部１１Ａ、１１Ｂの間隔が短く、両方の発光部の発光が影響するおそれがある場合には、先に読み取りを行う読取部１１Ａ又は１１Ｂから下流側に、裏写り現象を防止するための間隔を置いて他方の読取部を配置しても良い。
【００７６】
本実施の形態では、第一領域３０Ａを第二領域３０Ｂよりも先に読み取るが、第二領域３０Ｂを先に読み取るようにしてもよい。この場合、Ｓ２０３，Ｓ２０４，Ｓ２０７，Ｓ２０８，Ｓ２０９，Ｓ２１０，Ｓ２１１の第一読取部１１Ａと第二読取部１１Ｂとが置き換えられる。
【００７７】
尚、前述した配置処理のＳ１０３又はＳ１０４の処理にて決定された位置に第一及び第二読取部１１Ａ、１１Ｂが配置された場合における読取処理では、図８に示すように第一及び第二領域３０Ａ、３０Ｂが第一及び第二読取部１１Ａ、１１Ｂにより、先に第一領域
３０Ａ、次に第二領域３０Ｂが読み取られ、読み取られた読取データは、図８（２）のグラフに示すように、第一領域３０Ａの読取データと第二領域３０Ｂの読取データが時間的に直列に並ぶ。即ちこの場合、第一領域３０Ａが読み取られた後、次に第二領域３０Ｂが読み取られるため、単位時間当たりの読取データが少なく、処理負荷を抑えて読取処理を実行可能である。
【００７８】
尚、図８（１）において数字１から８は、時間経過を表し図８（２）のグラフは、横軸を時間軸、縦軸を読取データ量として表されている。本例では、２から７の時間に第一及領域３０Ａ、第二領域３０Ｂが順に読み取られる為、第一及び第二領域３０Ａ、３０Ｂの読取データのそれぞれのデータ量が単位時間当たりに読み取られることとなる。
【００７９】
この様にすることで、例えば、特定の読取モードの指定に応じて読取データ量が大きくなった為、読み取った第一及び第二領域３０Ａ、３０Ｂを合わせた単位時間当たりの読取データが一時的に蓄えられるＲＡＭ４の容量よりも多い場合や、処理の負荷を超える場合等に対応可能である。
【００８０】
また、本実施形態にて読み取った読取データを用いて、印刷部７にて複写処理が可能である。この場合、小さな処理負荷にて実行された読取処理にて読取データが生成されるため、複写処理も小さな処理負荷にて実行可能である。
【００８１】
＜他の実施形態＞
以下、他の実施形態を説明する。
【００８２】
（１）本実施形態では、第一及び第二読取部１１Ａ、１１Ｂがそれぞれ第一及び第二駆動モータ１２Ａ、１２Ｂと接続され、位置が移動可能に構成されているが、第一及び第二読取部１１Ａ、１１Ｂのどちらかが移動可能に構成されていてもよい。
【００８３】
（２）本実施形態では、第二読取部１１Ｂを基準に第一読取部１１Ａの位置が設定されるように制御しているが、どちらを基準にしてもよく、相対的に上記したような位置に設定されれば良い。
【００８４】
（３）本実施形態では、読取モードを必ず指定しているが、この指定はなくても良い。即ち、本実施形態の読取処理における図７のＳ２０４、Ｓ２０５、及びＳ２０９の処理はなくても良い。
【００８５】
（４）本実施形態では、読取処理にて図８及び図１２にてそれぞれの領域が読み取られていない間（Ｓ２０１：ＹからＳ２０３：Ｙまでと、Ｓ２１１：ＹからＳ２１３：Ｙまでの期間）、Ｓ２０２およびＳ２１２にて原稿２４が高速で搬送されるが、高速搬送されなくても良い。
【００８６】
（５）本実施形態では、原稿２４が搬送され第一読取部１１Ａの位置にＤ１が達するタイミングと、第二読取部１１Ｂの位置がＣ２に達するタイミングとが同時になるように配置処理を実行しているが、第一領域３０Ａが読み取り終わってから第二領域３０Ｂが読み取り始められるまでの間が開いていても良い。
【００８７】
（６）本実施形態では、原稿２４の画像データの読取処理の際、原稿２４を搬送ローラ２１にて搬送させながら両読取部１１Ａ，１１Ｂにより読み取る形態であったが、原稿２４が定位置に留まって両読取部１１Ａ，１１Ｂが移動することで読取処理が実行される形態であっても良い。
【００８８】
この場合、上述した本実施形態と同様に指定された第一及び第二領域３０Ａ，３０Ｂから上述した間隔Ｋを求めることで第一及び第二読取部１１Ａ，１１Ｂの相対的な位置関係を決定し、その位置関係を保ったまま両読取部１１Ａ，１１Ｂによる読取処理の開始位置を決定し、両読取部１１Ａ，１１Ｂを移動させることで読取処理を実行すればよい。
【００８９】
（７）本実施形態では、本発明の画像形成装置の一例としてＭＦＰ１による例にて説明したが、本発明の画像形成装置はＭＦＰ１に限定されない。例えば、コピー機、ＦＡＸ装置等が挙げられる。
【図面の簡単な説明】
【００９０】
【図１】ＭＦＰ１を示したハード構成図である。
【図２】読取装置の一例を示した構成図である。
【図３】原稿２４の第一及び第二領域３０Ａ、３０Ｂを指定する例を示した図である。
【図４】表示部５及び操作部６を用いて読取領域を指定する例を示した図である。
【図５】第一及び第二読取部１１Ａ、１１Ｂの配置処理を表したフローチャートである。
【図６】（１）（２）は実施形態において、第一及び第二読取部１１Ａ、１１Ｂと第一及び第二読取領域との関係を説明する図である。
【図７】読取処理を示したフローチャートである。
【図８】第一及び第二領域３０Ａ、３０Ｂが読み取られる処理を時間的に表した図である。
【符号の説明】
【００９１】
１  ＭＦＰ
２  ＣＰＵ
５  表示部
６  操作部
１１Ａ  第一読取部
１１Ｂ  第二読取部
１２Ａ  第一駆動モータ
１２Ｂ  第二駆動モータ
１３  搬送駆動モータ
２１  搬送ローラ
２４  原稿
３０Ａ  第一領域
３０Ｂ  第二領域
【図１】
2010068376.tif 000003
【図２】
2010068376.tif 000004
【図３】
2010068376.tif 000005
【図４】
2010068376.tif 000006
【図５】
2010068376.tif 000007
【図６】
2010068376.tif 000008
【図７】
2010068376.tif 000009
【図８】
2010068376.tif 000010